(57)【特許請求の範囲】
【請求項１】
光ケーブルのコネクタを接続するための複数のアダプタを取付パネルに設けられた取付孔に一括保持するアダプタ保持具であって、
複数のアダプタを収納できる中空本体の左右又は上下の対向面に、アダプタを挟持する少なくとも一対のアダプタ挟持片と、該中空本体を取付パネルの取付孔周縁に係止する少なくとも一対のパネル係止片とを形成するとともに、
中空本体の前記対向面に段差部分を形成し、この段差部分の一方の面をパネル係止片との間で取付パネルを挟むパネル挟止面とし、他方の面をアダプタ挟持片との間でアダプタの突出片を挟むアダプタ挟持面としたことを特徴とするアダプタ保持具。
【請求項２】
前記アダプタ挟持片とパネル係止片とを中空本体の同一面に形成したことを特徴とする請求項１に記載のアダプタ保持具。
【請求項３】
前記アダプタ挟持片とパネル係止片とを弾性片とし、アダプタ挟持片の端部を内側へ、パネル係止片の端部を外側へそれぞれ傾斜させたことを特徴とする請求項１又は２に記載のアダプタ保持具。
【請求項４】
前記アダプタ挟持片の外面に、工具差し込み可能な突起部を形成した請求項３に記載のアダプタ保持具。
【発明の詳細な説明】
【技術分野】
【０００１】
本発明は、光ケーブルのコネクタを接続するためのアダプタをアダプタ取付パネルの取付孔に一括保持するのに用いるアダプタ保持具に関するものである。
【背景技術】
【０００２】
従来、光ケーブルのコネクタを接続するためのアダプタを取付パネルに取り付ける構造として、アダプタにねじ孔を設けて取付パネルに直接ねじ止めする構造が知られている。しかし、この構造は個々のアダプタを取付パネルに直接ねじ止めするので、取付作業にかなりの時間と手間がかかる。この問題を解決するために、特許文献１及び２に示される構造が提案されている。
【０００３】
特許文献１には、係止具を装着したアダプタを係止具と取付パネルとで挟むことによって、取付パネルに取り付ける構造が記載されている。しかし、この構造は、アダプタ１つに対し１つの係止具を必要とするため、部品点数が増大する。また、アダプタは係止具・取付パネルのいずれにも固定されておらず、作業中にアダプタが落下する恐れがある。
【０００４】
一方、特許文献２には、複数のアダプタを係止具と取付パネルとで挟み込み、係止具の四隅をねじ止めすることによって取付パネルに取り付ける構造が記載されている。この構造では、取付パネルへの取付時にアダプタを取付パネルに仮保持できるものの、固定的に保持されていないので、依然として作業時においてアダプタが落下する危険性がある。また、アダプタ一つを取り換えたい場合であっても、係止具を取付パネルから外さなければならないため、取り換えを予定していないアダプタまで取付パネルから外れてしまうという不都合が生じる。
【先行技術文献】
【特許文献】
【０００５】
【特許文献１】特開２００９−１０９７３０号公報
【特許文献２】特開２０１０−１０１９８１号公報
【発明の概要】
【発明が解決しようとする課題】
【０００６】
従って本発明の目的は上記のような従来の問題を解決し、簡易な作業で複数のアダプタをまとめて取付パネルに取り付けることができ、かつ作業中にアダプタが落下することのないアダプタ保持具を提供することである。
【課題を解決するための手段】
【０００７】
上記課題を解決するためになされた本発明は、光ケーブルのコネクタを接続するための複数のアダプタを取付パネルに設けられた取付孔に一括保持するアダプタ保持具であって、複数のアダプタを収納できる中空本体の左右又は上下の対向面に、アダプタを挟持する少なくとも一対のアダプタ挟持片と、該中空本体を取付パネルの取付孔周縁に係止する少なくとも一対のパネル係止片とを形成するとともに、中空本体の前記対向面に段差部分を形成し、この段差部分の一方の面をパネル係止片との間で取付パネルを挟むパネル挟止面とし、他方の面をアダプタ挟持片との間でアダプタの突出片を挟むアダプタ挟持面としたことを特徴とするものである。
【０００８】
この場合において、前記アダプタ挟持片とパネル係止片とを中空本体の同一面に形成することが好ましい。さらに、前記アダプタ挟持片とパネル係止片とを弾性片とし、アダプタ挟持片の端部を内側へ、パネル係止片の端部を外側へそれぞれ傾斜させることが好ましい。また、前記アダプタ挟持片の外面に、工具差し込み可能な突起部を形成してもよい。
【発明の効果】
【０００９】
本発明に係るアダプタ保持具は、複数のアダプタを収納できる中空本体の左右又は上下の対向面に、アダプタを挟持する少なくとも一対のアダプタ挟持片と、該中空本体を取付パネルの取付孔周縁に係止する少なくとも一対のパネル係止片とを備えている。これにより、中空本体内に収納される複数のアダプタはアダプタ挟持片に挟持されつつ取付パネルに一括保持されるので、簡易な作業で複数のアダプタをまとめて取付パネルに取り付けることができる。また、アダプタ保持具を取付パネルから取り外したとしても、アダプタはアダプタ挟持片により挟持されているので、中空本体から落下することはない。
【００１０】
また、アダプタ挟持片とパネル係止片とを中空本体の同一面に形成すれば、アダプタ挟持片とパネル係止片とを別々の面に形成した場合に比べて、より多くのアダプタを取付パネルに配列することができる。また、アダプタ挟持片とパネル係止片とを弾性片とすることにより、ねじを使用せず、ワンタッチで取り付けることができる。さらに、前記アダプタ挟持片の外面に、工具差し込み可能な突起部を形成することもできる。これにより、突起部に工具を引っ掛けてアダプタ挟持片による挟持を解除し、所望のアダプタのみ交換することができる。
【図面の簡単な説明】
【００１１】
【図１】スプライスユニットの斜視図である。
【図２】スプライスユニットのスライド部の斜視図である。
【図３】アダプタ取り付け後のアダプタ保持具の斜視図である。
【図４】アダプタ保持具の斜視図である。
【図５】図３の上部Ａ−Ａ断面斜視図である。
【図６】４つのアダプタを段積した状態を示す斜視図である。
【図７】アダプタの挿入過程を示す図３の上部Ａ−Ａ断面斜視図である。
【図８】アダプタを収納したアダプタ保持具を取付パネルに取り付けた状態を示す上部断面図である。
【発明を実施するための形態】
【００１２】
以下、本発明の好ましい実施形態を示す。本発明に係るアダプタ保持具は、スプライスユニットと呼ばれる光回線分配装置に用いられ、一次側光ケーブルのコネクタと二次側光ケーブルのコネクタとを接続するための複数のアダプタをスプライスユニットに一括保持するために使用される。なお、光ケーブルは複数の光ファイバを束ねたものである。
【００１３】
図１及び図２に示すように、スプライスユニット１は、ラックのマウントアングル等に取り付けられる箱状の固定部２と、両側面にスライドレール３１を備え、このスライドレール３１により固定部２内を前後にスライド自在なスライド部３とからなる。固定部２の内部には、光ケーブル挿入口４からスプライスユニット１内に引き入れられたケーブルをじゃばら状に伸縮可能に保持するケーブルガイド５ａが複数形成されている。一方、スライド部３の内部には、スプライスユニット１に形成された複数の前記ケーブルガイド５ａと連通形成され、前記ケーブルガイド５ａに保持された一次側光ケーブルをスライド部３に誘導するためのケーブルガイド５ｂと、段積自在に形成され、一次側と二次側の光ケーブルの心線を内部で融着する融着トレイ６と、融着トレイ６の下方に光ケーブル又は光ケーブルの心線の余長分を巻き取る余長トレイ７とが設けられている。また、スライド部３の外面には複数の取付孔８１が穿設された取付パネル８が取り付けられており、この取付孔８１にアダプタ保持具９が取り付けられる。このアダプタ保持具９は、図３に示すように、四角筒状のアダプタ１０を４つ保持できるものである。
【００１４】
図４及び図５に示すように、アダプタ保持具９は、前面及び背面が開口した略四角柱状の中空本体９１と、該中空本体の両側面に形成された二対のアダプタ挟持片９２と、アダプタ挟持片９２の後方に形成された一対のパネル係止片９３とからなる。中空本体９１の両側面は、アダプタ挟持片９２が形成される挟持片取り付け面９４と挟持片取り付け面９４の後端辺からアダプタの挿入方向に向かって延設された係止片取り付け面９５とから構成されている。
【００１５】
前記挟持片取り付け面９４には、上下二段に二対のアダプタ挟持片９２が形成されている。各アダプタ挟持片９２はアダプタ１０の挿入方向に沿って内側に傾斜しており、対向面のアダプタ挟持片９２と一対となって２つのアダプタ１０を挟持する。これにより、アダプタ１０は一対のアダプタ挟持片９２によって中空本体９１内に保持されるので、作業の際、アダプタ１０が中空本体から落下することがない。
また、アダプタ挟持片９２を弾性片としているので、ねじを使用することなく強固にアダプタ１０を挟持することができる。さらに、アダプタ挟持片９２の先端の上方又は下方には、アダプタ挟持片９２による挟持を解除するための突起部９６が形成されている。アダプタ交換時など、アダプタを取り外す必要がある場合には、この突起部９６に工具を引っ掛けて外側に広げることによりアダプタ挟持片９２による挟持を解除することができる。なお、本実施形態では二対のアダプタ挟持片９２としたが、一対のアダプタ挟持片で４つのアダプタを挟持するなど、適宜変更は可能である。
【００１６】
前記係止片取り付け面９５の中央には、パネル係止片９３が形成されている。各パネル係止片９３は、アダプタの取り外し方向に沿って外側に傾斜しており、アダプタ保持具を取付パネル８へ取り付ける際、対向面のパネル係止片９３と一対となって取付孔８１周縁に係止する。これにより、中空本体９１に収納された複数のアダプタ１０をワンタッチで取付パネル８に取り付けることができる。また、パネル係止片９３を弾性片としているので、ねじを使用することなく強固に取り付けることができる。なお、本実施形態では、アダプタ挟持片９２とパネル係止片９３とを中空本体９１の両側面に設けている。このように、両片９２、９３を同一面に形成すれば、両片９２、９３が形成された面の外側にのみ作業スペースを設ければよいので、アダプタ挟持片９２とパネル係止片９３とを別々の面に形成した場合に比べて、より多くのアダプタ１０を取付パネル８に配列することができる。
【００１７】
また、本実施形態では、挟持片取り付け面９４を係止片取り付け面９５よりもやや外側に段違いとなるように形成している。挟持片取り付け面９４と係止片取り付け面９５をフラットに形成した場合においては、アダプタ挟持片９２の傾斜角度を大きくするとアダプタ１０の挿入範囲が狭くなるので挿入が困難となり、傾斜角度を小さくするとアダプタ１０が引抜け易くなってしまう。これに対し、本実施形態のように、段違いに形成すればアダプタ挟持片９２を長く形成することができるので、傾斜角度を小さくしてもアダプタ１０の挿入が容易で、かつ抜けにくい構造とすることができる。
【００１８】
また、段違いに形成することにより、挟持片取り付け面９４と係止片取り付け面９５とを連結する段差部分９７が形成される。段差部分９７は後述するようにアダプタ１０の突出片１１を挟止する一辺と取付パネル８を挟止する一辺とからなるものである。尚、挟持片取り付け面９４と係止片取り付け面９５がフラットに形成される場合にはアダプタ１０及び取付パネル８を挟止させる挟止部を別途形成する必要がある。
【００１９】
また、中空本体９１内のアダプタ１０はアダプタ挟持片９２による左右からの挟持に加え、この段差部分９７とアダプタ挟持片９２の端部とで前後から挟まれることによって、より確実に中空本体９１内に保持される。他方、取付パネル８に取り付けられたアダプタ保持具９は、パネル係止片９３が取付孔８１周縁に係止することに加え、段差部分９７とパネル係止片９３の端部とで取付パネル８を挟むことによって確実に取付パネル８に保持される。すなわち、段差部分９７の一方の面はパネル係止片９３との間で取付パネル８を挟むパネル挟止面となり、他方の面はアダプタ挟持片９２との間でアダプタ１０の突出片１１を挟むアダプタ挟持面となっている。ここで、図５に示すように本実施形態ではアダプタ１０の突出片１１とアダプタ挟持片９２の先端部に空隙を形成して挟止しているが、特にこの形状に限定するものではなく、突出片１１とアダプタ挟持片９２の先端部が当接するように形成して挟止しても良いことは勿論である。いずれの構造においてもアダプタ１０を押込んでも突出片１１が段差部分９７に当接し、引抜こうとしても挟持片９２に当接するのでアダプタ１０は抜け落ちることが無くなるものである。
【００２０】
以下、アダプタ１０の取り付け構造について説明する。中空本体９１に収納されるアダプタ１０は、図６に示すように、四角筒状をなし、両側面中央には垂直方向に突出片１１が形成されている。図７に示すように、中空本体の前面開口にアダプタ１０を挿入すると、アダプタ１０は、突出片１１がアダプタ挟持片９２を外側へ撓ませながら中空本体内を移動し、突出片１１が段差部分９７に接触したところで停止する。この状態で、突出片１１が段差部分９７とアダプタ挟持片９２の端部との間に嵌まり込む。なお、突出片１１が段差部分９７に接触することにより、アダプタ１０は中空本体９１内をすり抜けることなく定位置で止まる。
【００２１】
次に、中空本体９１を取付パネル８の取付孔８１へ押し込むと、パネル係止片９３は取付孔８１周縁に押圧され、内側に撓みながら取付孔８１を通過する。図８に示すように、取付孔８１を通過したパネル係止片９３はその端部と段差部分９７により取付パネル８を挟みながら取付孔８１周縁に係止する。なお、ここでは、アダプタ１０の取付順序として、アダプタ１０をアダプタ保持具９に取り付けた後、アダプタ保持具９を取付パネル８に取り付ける順序で説明したが、これに限定されるものではない。
【００２２】
以上に説明したとおり、本発明に係るアダプタ保持具９は、アダプタ挟持片９２により自身でアダプタ１０を保持し得るので、作業時におけるアダプタ１０の落下の危険性を回避できる。また、パネル係止片９３によって、アダプタ保持具９に保持された複数のアダプタ１０をまとめて取付パネル８に取り付けることができるので、作業性に優れる。さらに、アダプタ１０交換時等、アダプタ１０を取り外したい場合には、突起部１１に工具を引っ掛けてアダプタ挟持片９２による挟持を解除することにより、所望のアダプタ１０のみを交換することもできる。
【符号の説明】
【００２３】
１  スプライスユニット
２  固定部
３  スライド部
４  光ケーブル挿入口
５ａ  ケーブルガイド
５ｂ  ケーブルガイド
６  融着トレイ
７  余長トレイ
８  取付パネル
９  アダプタ保持具
１０  アダプタ
１１  突出片
３１  スライドレール
８１  取付孔
９１  中空本体
９２  アダプタ挟持片
９３  パネル係止片
９４  挟持片取り付け面
９５  係止片取り付け面
９６  突起部
９７  段差部分
【図１】
0005760236.tif 000002
【図２】
0005760236.tif 000003
【図３】
0005760236.tif 000004
【図４】
0005760236.tif 000005
【図５】
0005760236.tif 000006
【図６】
0005760236.tif 000007
【図７】
0005760236.tif 000008
【図８】
0005760236.tif 000009